(57)【要約】      （修正有）【課題】水が浸入した場合に制御回路が破壊することを防止するワイヤ送給装置を提供する。【解決手段】ワイヤ送給装置Ａは、水センサーＢと、水センサーＢからの信号を増幅する水センサー増幅回路と、制御回路へ供給する電圧を遮断する電圧遮断回路を備え、水が浸入するとワイヤ送給モータＣの回転数を制御する回路にかかる電圧を遮断する。【選択図】図１
0003232259.tif 000002
【実用新案登録請求の範囲】
【請求項１】
モータの回転数を制御する制御回路を内蔵するワイヤ送給装置において、前記ワイヤ送給装置の中に溶接用ワイヤを送給するワイヤ送給モータ、水を検出する水センサー、水が浸入したことを知らせる水異常表示灯、前記ワイヤ送給モータの回転数を制御するモータ回転数制御基板を取り付け、前記モータ回転数制御基板の中に、前記ワイヤ送給モータの回転数を制御するモータ駆動制御回路、ワイヤ送給モータ駆動用トランジスタ、前記水センサーからの信号を増幅する水センサー増幅回路、前記モータ駆動制御回路に供給する電圧を遮断する電圧遮断回路を設け、水が浸入すると前記水センサーからの信号を受けて前記モータ駆動制御回路にかかる電圧を前記電圧遮断回路で遮断し、前記水異常表示灯を点灯させるようにしたことを特徴とする水センサー付きワイヤ送給装置
【請求項２】
前記水センサーをワイヤ送給装置の下部に取り付けたことを特徴とする前記請求項１に記載する水センサー付きワイヤ送給装置
【請求項３】
前記水異常表示灯をワイヤ送給装置の外周部に取り付けたことを特徴とする前記請求項１に記載する水センサー付きワイヤ送給装置
【考案の詳細な説明】
【技術分野】
【０００１】
一般にアーク溶接機のワイヤ送給装置のワイヤ送給装置はモータの制御回路をワイヤ送給装置部に持たない。一部のワイヤ送給装置はモータ回転数の制御回路をワイヤ送給装置部に搭載し、溶接で電源とワイヤ送給装置の間の制御ケーブルをなくしたものが販売されている。本考案は、ワイヤ送給装置部に制御回路を搭載したワイヤ送給に関するものである。
【０００２】
モータの回転数を制御するプリント基板を内蔵するワイヤ送給装置において、ワイヤ送給装置に水が浸入した場合、内蔵されたプリント基板を水の浸入から守る方法に提案するものである。
【背景技術】
【０００３】
モータ回転数の制御回路をワイヤ送給装置部に搭載した例として、非特許文献１のパナソニック株式会社  商品カタログ「YM-５００CL４」、非特許文献２のダイヘン株式会社  商品カタログ「ダイナオートXW５００」に記載されているものがあるが、これらのワイヤ送給装置には、水が浸入したときにプリント基板Ｗの破壊を防ぐ手段を持たない。
【０００４】
図３に従来例のワイヤ送給装置の構成を示す。従来例では水センサーは搭載されていないため、水が浸入した場合モータの回転数を制御する電子部品を含み回路は破壊する可能性がある。
【０００５】
従来例では水が浸入した状態で通電した場合は、製品の品質保証の範囲外で、プリント基板が壊れても仕方がないという考え方であった。
【０００６】
プリント基板の破壊を防ぐため、電子部品で構成される回路を樹脂でコーティングする方法も考えられるが、接続部はコーティングができない。接続部が露出しているのでこの接続部に水が浸入すると破壊する。コーティングは、破壊対策としては有効な手段とは言えない。
【先行技術文献】
【非特許文献】
【０００７】
【非特許文献１】パナソニック株式会社  商品カタログ「YM-５００CL４」
【非特許文献２】ダイヘン株式会社  商品カタログ「ダイナオートXW５００」
【考案の概要】
【考案が解決しようとする課題】
【０００８】
モータの回転数を制御するプリント基板を内蔵するワイヤ送給装置において、ワイヤ送給装置に水が浸入した場合、プリント基板が破壊する。水の浸入によるプリント基板の破壊の問題を解決することが本考案の解決すべき課題である。
【０００９】
造船所で使用するワイヤ送給装置は、屋外で使用されることが一般的に行われており、雨が降った場合ワイヤ送給装置の制御回路にまで水が浸入することがよくある。水はけの悪い場所にワイヤ送給装置が放置された場合、プリント基板が完全に冠水してしまうことが起こる。このような事故が起きても、動作は保証しないけれど、制御回路が破壊しないようにすることが本考案の目的である。
【課題を解決するための手段】
【００１０】
水センサーをワイヤ送給装置の下部に取り付け、プリント基板に制御電圧を供給する電源を遮断する遮断回路を設け、水がワイヤ送給装置の内部に入り込んだ場合プリント基板の制御電圧を遮断している。
【考案の効果】
【００１１】
本考案の水センサー付きワイヤ送給装置を用いると、ワイヤ送給装置の中にある電子部品を含むプリント基板に水がかかったとしてもプリント基板が壊れることがない。
【００１２】
本考案の水センサー付きワイヤ送給装置が、海中に沈んだとしても、モータに水の抵抗を介して電圧が供給され、モータがゆっくり回転するだけで壊れることはない。水没したワイヤ送給装置を引き揚げて乾燥させれば元の状態になり、完全に正常な状態に復活することが可能となる。
【００１３】
本考案の水センサー付きワイヤ送給装置は、水の浸入により動かなくなった時には、水異常表示器が点灯させているので、動かなくなった原因が容易に判断できる。    
【図面の簡単な説明】
【００１４】
【図１】本考案のワイヤ送給装置の構成
【図２】本考案のワイヤ送給装置の回路ブロック図
【図３】従来例のワイヤ送給装置の構成
【考案を実施するための形態】
【００１５】
水センサーをワイヤ送給装置の下部に取り付け、水がワイヤ送給装置の内部に入り込んだ場合プリント基板内の制御電圧を遮断し、電子部品などの定格電圧をオーバーして動作することをなくし、電子部品の破壊を防いでいる。
【００１６】
一般にワイヤ送給モータの駆動電圧は２４Ｖが使われ、制御回路の電圧は５Ｖがよく使われている。水が浸入すると２４Ｖの電圧が５Ｖの制御回路に回り込むことが原因でプリント基板を破壊してしまう。
【００１７】
本考案では水が浸入すると５Ｖの制御回路を遮断し回路が動かないようにしている。実際には電圧を遮断したとしても、電圧遮断回路の出力は２Ｖ程度の電圧が残るが、動作していないので電子部品が壊れることはない。
【００１８】
動かなくなった場合、水異常表示灯が点灯しているので、ワイヤ送給装置の中に水が浸入し停止していることが判るようにしている。この場合、電源を切り、水が完全に蒸発するまで長時間乾燥させれば、元の状態に完全に復帰させることが可能となる。
【実施例】
【００１９】
図１は、本考案のワイヤ送給装置の構成を示している。本考案ではモータの回転数を制御するプリント基板は、ワイヤ送給装置の中に内蔵されている。本考案の水センサー付きワイヤ送給装置は、Ｃのワイヤ送給モータ、Ｂの水センサー、Ｄの水異常表示灯、Ｅのモータ回転数制御基板より構成される。
【００２０】
図２は、Ｅのモータ回転数制御基板の中の構成を、具体的に示した本考案のワイヤ送給装置の回路ブロック図である。Ｅのモータ回転数制御基板の中に、Ｃのワイヤ送給モータの回転数を制御する２のモータ駆動制御回路、１のワイヤ送給モータ駆動用トランジスタ、Ｂの水センサーからの信号を増幅する４の水センサー増幅回路、２のモータ駆動制御回路に供給する電圧を遮断する３の電圧遮断回路を設けている。
【００２１】
３の電圧遮断回路は、３−１のツェナーダイオードと３−２のトランジスタから構成される。
【００２２】
４の水センサー増幅回路は。４−１のベース抵抗と４−２のＢ−Ｅ間抵抗と４-３の制限抵抗と４−４のトランジスタから構成される。Ｂの水センサーが水滴を検出すると、インピーダンスが小さくなる。水センサーのインピーダンスが小さくなると、４−４のトランジスタがオンし、３−１のツェナーダイオードを短絡する。ツェナーダイオードの両端の電圧が低くなると、３−２のトランジスタのベースの電位が０Ｖになり、２のモータ駆動制御回路の入力電圧は遮断される。
【００２３】
２のモータ駆動制御回路の入力電圧は遮断されると、電子部品から構成される２のモータ駆動制御回路の動作は停止する。この時、無電圧状態で２のモータ駆動制御回路が水没することになるので壊れることはない。
【００２４】
水が浸入すると、２のモータ駆動制御回路にかかる電圧を遮断すると同時に、Ｄの水異常表示灯を点灯させる。
【００２５】
図３は、従来例のワイヤ送給装置の構成を示している。従来例のワイヤ送給装置は水センサーを用いていないので、水の浸入に対する保護回路はない。そのため、水が浸入した場合、Ｅのモータ回転数制御基板の電子部品を壊す危険性がある。
【００２６】
ワイヤ送給装置が屋外に放置され冠水した場合、Ａのワイヤ送給装置の下部から水が浸入することを想定している。そのため、Ｂの水センサーは、Ａのワイヤ送給装置の下部に取り付けるようにしている。２のモータ駆動制御回路は無電圧に近い状態で水に浸かることと同じとなるので回路が壊れることはない。一方、１のワイヤ送給モータ駆動用トランジスタと、３の電圧遮断回路、４の水センサー増幅回路は冠水することになるが、使用している電子部品の電圧定格は十分大きいものを採用し壊れることはないようにしている。
【００２７】
Ｄの水異常表示灯は、作業者が判りやすいようにワイヤ送給装置の外周部に配置されている。ワイヤ送給装置が水没した場合、Ｄの水異常表示灯および４の水センサー増幅回路の回路は電圧が供給されているので、水センサーが働いても水異常表示灯を点灯したままになるようにしている。
【産業上の利用可能性】
【００２８】
本考案の水センサー付きワイヤ送給装置は、造船所や建築現場などで屋外で使用されるモータ駆動制御回路がワイヤ送給装置部に内蔵されるワイヤ送給装置が使用されることが期待される。
【００２９】
また、本考案の水センサー付きワイヤ送給装置は、溶接電源とワイヤ送給装置を結ぶ信号線が水没することにより、溶接電源のプリント基板が破壊する可能性のある溶接機に本考案の水センサー付きワイヤ送給装置を用いると、溶接電源のプリント基板の破壊を防ぐことができるため、本考案が採用される可能性がある。
【符号の説明】
【００３０】
A   ワイヤ送給装置
B  水センサー
C  ワイヤ送給モータ
Ｄ  水異常表示灯
Ｅ  モータの回転数制御基板
１  ワイヤ送給モータ駆動用トランジスタ
２  モータ駆動制御回路
３  電圧遮断回路
３−１  トランジスタ
３−２  ツェナーダイオード
４  水センサー増幅回路
４−１  ベース抵抗
４−２  Ｂ―Ｅ間抵抗
４−３  制限抵抗
４−４  トランジスタ
【図１】
0003232259.tif 000003
【図２】
0003232259.tif 000004
【図３】
0003232259.tif 000005